(57)【特許請求の範囲】
【請求項１】
本体に設けられたノズルから噴射された泡消火液をデフレクタにて拡散した後に発泡網にて発泡させて外部に散布するフォームヘッドにおいて、
前記本体先端のノズル開口面と同じ水平位置もしくは高い位置に、錐形状を持つデフレクタ周側錐面の前記発泡網側に開口した放射孔の上縁を配置し、更に前記ノズル開口面と同じ水平位置の前記発泡網よりも外側に前記本体側のガード部下端面が位置するように配置したことを特徴とするフォームヘッド。
【発明の詳細な説明】
【０００１】
本発明は、本体に設けられたノズルから噴射された泡消火液をデフレクタにて拡散した後に発泡網にて発泡させて外部に散布するフォームヘッドに関する。
【０００２】
【従来の技術】
従来のフォームヘッドは、図４に示すように、フォームヘッド１０１の本体１０２に形成したノズル１０３の先端に台形円錐のカップ形状をもったデフレクタ１０４が設けられ、その周囲を囲んで発泡網１０５が本体１０２の下端に形成したガード部１０６により支持された構造としている。
【０００３】
このような従来のフォームヘッド１０１は、加圧供給された泡消火液が本体１０１のノズル１０３を通り、デフレクタ１０４と本体１０１に囲まれた空間１０７に入る。その後、泡消火液はデフレクタ１０４の内面に沿った流水経路Ａと空間１０７に面したノズル開口面１０９に沿った流水経路Ｂにより円錐面に上下二列に形成している放射孔１１０，１１１に到着する。
【０００４】
このときノズル開口面１０９に沿った流水経路Ｂは放射孔１１１よりも上部に存在するため、一度、デフレクタ１０４の内部に衝突して向きを下に変更し、放射孔１１１に達して放射される。また、デフレクタ１０４の内面に沿った放射経路Ａは、放射孔１１０から放射され、その残液が放射孔１１１に向かい、放射孔１１１より放射される。
【０００５】
放出された泡消火液の軌道は、下向きに流れるベクトルが存在するため、放射孔１１０，１１１から斜め下向きに放射軌道を持ち、発泡網（スクリ−ン）を通過する際に空気を巻き込み、泡を放出させる。
【０００６】
このように従来のフォームヘッドは、取付高さを例えば２〜５メートルの高さに設置し、ヘッド１個当りに要求される例えば３メートル四方の防護範囲に対する散布性能を満足している。
【０００７】
【課題を解決するための手段】
ところで、近年の地下駐車場にあっては、駐車容量を確保するために多段式の機械駐車設備の設置が増加しており、フォ−ムヘッドの取り付け高さが２メートル以下といった低い設置場所となる場合がある。しかし、従来のフォームヘッドについて取り付け高さが低くなると、放射距離が減少し、フォームヘッドに要求される散布性能が低下する問題がある。
【０００８】
本発明は、取り付け高さが低くとも放射距離を伸ばして必要な散布性能を満足させるフォームヘッドを提供することを目的とする。
【０００９】
【課題を解決するための手段】
この目的を達成するため本発明は次のように構成する。本発明は、本体に設けられたノズルから噴射された泡消火液をデフレクタにて拡散した後に発泡網にて発泡させて外部に散布するフォームヘッドにおいて、本体先端のノズル開口面と同じ水平位置もしくは高い位置に、錐形状を持つデフレクタ周側錐面に開口した放射孔の上縁を配置し、更にノズル開口面と同じ水平位置の発泡網よりも外側に本体側のガード部下端面が位置するように配置したことを特徴とする。
【００１０】
このように本発明にあっては、本体の下端のノズル開口面と同じもしくは幾分高い水平方向の位置となるように、デフレクタ周側面の放射穴の上縁を位置させたことで、ノズル開口面に沿った水平方向の流水経路による泡消火液は、デフレクタ内面に衝突せずに大部分がデフレクタの放射孔を通って水平方向からやや斜め上向きに放射される。
【００１１】
更にデフレクタ放射穴の外側に同じ水平位置をもって本体側のガード部下端が位置し、デフレクタ放射孔からの斜め上向きの泡消火液の流水経路を規制して水平方向に泡を放出させる。
【００１２】
このためフォームヘッドから放射された消火泡の水平方向の放射距離が伸び、機械式駐車設備のように取付け高さが低い場所であっても、充分な放射距離を確保することができる。
【００１３】
【発明の実施の形態】
図１は本発明のフォームヘッドの実施形態を示した断面図であり、図２にヘッド先端側から見た平面図を一部半断面で示している。
【００１４】
図１において、本発明のフォームヘッド１は、ヘッド本体２に上下に貫通して設けたノズル３を有し、ノズル３の下端を内部に突出して、ここにノズル開口面８を形成している。ノズル開口面８を覆って、その下側にはデフレクタ４が取り付けられる。
【００１５】
デフレクタ４は上方に開いた台形円錐のカップ形状を持っており、図２の右側の半断面部分から明らかなように、周囲の円周面に上下方向に２列に放射孔１０，１１を形成している。デフレクタ４の外側には発泡網５が配置され、発泡網５はその上部周縁を本体１と一体に形成しているガード部６の内側に嵌め入れることで保持されている。２列の放射孔１０，１１は垂直方向に孔が開いている。
【００１６】
このような構造を持つ本発明のフォームヘッドにあっては、ノズル３の下端となるドーナツ状の水平面であるノズル開口面８と同じ水平高さ位置に、デフレクタ４に設けている上部の放射孔１０の上縁１０ａを位置させ、更に同じ水平位置に発泡網５を保持している本体２側のガード部６のガード部下端面６ａを位置させるように構成している。
【００１７】
次に図１の実施形態について、加圧供給された泡消火液の流れと外部に対する泡の放射機能を説明する。本体２のノズル３に加圧供給された泡消火液はノズル下端面８とデフレクタ４との間の空間７に至り、デフレクタ４の内面に沿った流水経路Ａとノズル開口面８に沿った流水経路Ｂにより、放射孔１０，１１に達する。
【００１８】
ここで本体２のノズル開口面８とデフレクタ４の放射孔１０の上縁１０ａとは水平方向の同じ位置に設けられているため、ノズル開口面８に沿った水平方向の放射経路Ｂの泡消火液はデフレクタ４の内面に衝突せず、水平向きで放射孔１０に達する。
【００１９】
また放射孔１０は垂直方向に開けられているため，放射孔１０から泡消火液が放射されるとき放射孔１０の内周部に泡消火液が一部衝突することにより、放射孔１０より泡消火液は拡散されて放射される。このため放射孔１０より放射された泡消火液の主流は水平軌道をとるが、一部上向きの放射軌道をとる泡消火液が発生する。
【００２０】
この放射孔１０から上向きの放射軌道をとる一部の泡消火液の放射に対し、その外側に位置するガード部６のガード部下縁６ａがノズル開口面８及び放射孔１０の上縁１０ａと同じ水平位置に設けられているため、放射孔１０からの上向きの軌道で放射された一部の泡消火液はガード部下縁６ａまでのガード部６の存在によって上向きの放射軌道が抑えられ、デフレクタ４の放射孔１０から放射された泡消火液は、その水平方向成分より下側の部分が発泡網５に当たり、ガード部下縁６ａで規制された水平方向より下側の消火泡の放射が行われる。
【００２１】
このように上向きの発泡網からの放射軌道が水平方向に抑えられていることで、本発明のフォームヘッド１を天井面に設置しても、上向きの放射した泡が天井面に付着し、水平方向に放射された泡が天井面に付着している泡で遮断されて放射円が理想とする放射範囲よりも狭まってしまうような不都合を回避できる。
【００２２】
図３は本発明によるフォームヘッドの取付高さに対する消火泡の放射距離を示した性能特性図の例であり、実線が本発明の特性であり、破線が図４の従来のフォームヘッドによる同じ放水圧力での特性である。本発明のフォームヘッドにあっては、図１に示したように、ノズル開口面８の水平位置に一致するようにデフレクタ４の放射孔１０の上縁１０ａ及びその外側に位置する発泡網５を支持したガード部６のガード部下縁６ａが位置するように構成したことで、従来下向きの放射軌道であったものを水平方向の放射軌道とすることができ、これによって図３の実線のように水平方向への放射泡が効率良く放射され、従来の破線の斜め下向きの放射軌道に対し、取付高さが短いときの放射距離が伸びるようになっている。
【００２３】
例えば、機械式駐車設備における本発明のフォームヘッド１の取付高さは例えば２ｍ以下の１．５ｍ程度であり、取付高さが低くなっても放射距離を従来に比べ伸ばし、取付高さが低くなることによる性能低下を抑えることができる。
【００２４】
また従来のヘッドの斜め方向に放射する特性においては、設置高さが高くなるにつれ、放射距離が拡がるため、設置高さが高すぎると放射距離が拡がりすぎて放射密度が低いものとなってしまう。しかし、本発明のヘッドにおいては、ある程度の高さ以降になると放射泡の放射ベクトルが垂直方向に近づくため、設置高さがある高さ以上のヘッドでは放射範囲がほぼ同じになる。
【００２５】
よって、その放射範囲が理想とする放射範囲及び放射密度が得られるようにヘッドを設計すれば、従来よりも設置高さの上限を高くすることができ、フォームヘッドの設置可能高さを拡げることができる。
【００２６】
なお上記の実施形態はデフレクタの周側の円錐面に２列に放射孔１０，１１を設けた構造を例にとるものであったが、このデフレクタに設ける放射孔の数、形状などは、この実施形態に限定されず、必要に応じて適宜の数、配置とすることができる。
【００２７】
また、図１においては、ノズル開口面８の水平位置とデフレクタ４の上側放射孔１０の上縁１０ａの水平位置を一致させているが、上縁１０ａがノズル開口面８よりも幾分高い位置にあっても良い。その場合には放射孔１０より放射した泡のうち上方へ向かう量が図１よりも多くなるが、発泡網よりも外側のガード部６の下端６ａで上方放射を規制しているため水平方向の図３のような放射特性が確保できる。
【００２８】
また、本実施形態においては、デフレクタの全周に放射孔１０，１１を設けて、ヘッド位置を中心とした全周方向に泡を放射している構成であるが、これに限らず、放射孔をデフレクタ全域の内の部分的に設けて、放射範囲（方向）を限定する構成としても良い。
【００２９】
例えば、図２の半断面部分のデフレクタ部分のみに放射孔１０，１１を開けて、左側の発泡網の部分には放射孔を設けない構成とすれば、半円状の放射範囲となり、側壁型のフォームヘッドとして使用できる。その場合、デフレクタ４、発泡網５や本体の形状は円形ではなく半円形であっても良い。
【００３０】
更に、本実施形態においては、放射される泡を水平方向に規制するためのガード下端面６ａは発泡網５を保持する機能も兼ねているが、発泡網の周縁を保持する本体部分よりも少し離れてガード下端面を別構成としても良い。
【００３１】
【発明の効果】
以上説明してきたように本発明によれば、本体内部のノズル開口面と同じかもしくは幾分高い水平方向の位置となるようにデフレクタ周側面の放射孔の上縁を位置させることで、ノズル開口面に沿った水平方向の流水経路による泡消火液はデフレクタ内面に衝突せずに大部分がデフレクタの放射孔を通って水平方向からやや斜め上向きに放射され、この斜め上向きの部分については、その外側に位置するノズル開口面と同じ水平位置を持つ本体側のガード部下端により規制され、発泡網から水平方向に消火泡を放射させることとなり、消火泡の水平方向への放射により放射距離が延び、機械式駐車設備のように取付高さが低い場所であっても十分な放射距離を確保して、ヘッド１台当たりに必要な防護範囲に対する散布性能を満足することができる。
【図面の簡単な説明】
【図１】本発明の実施形態を示した断面図
【図２】図１のヘッド先端側から見た平面図
【図３】本発明のフォームヘッドによる設置高さに対する放射距離を従来と対比して示した性能説明図
【図４】従来のフォームヘッドの断面図
【符号の説明】
１：フォームヘッド
２：本体
３：ノズル
４：デフレクタ
５：発泡網（スクリーン）
６：ガード部
６ａ：ガード部下端面
７：空間
８：ノズル開口面
１０，１１：放射孔
１１ａ：放射孔上縁
【図１】
0004623540.tif 000002
【図２】
0004623540.tif 000003
【図３】
0004623540.tif 000004
【図４】
0004623540.tif 000005